(57)【要約】【課題】被包装物を簡便にしかも格別詰めもの等を使用せずとも被包装物が中で動くことなく固定状に包装することができると共に、安価に製造することができ、しかも接着剤やステープル等を使用せずとも組立でき、従って使用済みの包装容器を処理する場合でも材料別に容易に分離することが出来る包装容器を提供すること。【解決手段】基板１の表面を伸縮自在なカバーフィルム２で被覆すると共に該カバーフィルムの両端辺２ａを基板に固定し、基板１とカバーフィルム２との間に被包装物Ｂを収納した状態で基板の両端部分１ａを裏側に折り返すことにより包装するようにした包装容器であって、カバーフィルム２の両端辺を折り返すことにより掛止ポケット４を形成し、該掛止ポケットに基板の両端辺２ａをそれぞれ差し込み係合させるように構成した。【選択図】　　図１
2004010168.tif 000002
【特許請求の範囲】
【請求項１】
基板の表面を伸縮自在なカバーフィルムで被覆すると共に該カバーフィルムの両端辺を当該基板に固定し、上記基板とカバーフィルムとの間に被包装物を収納した状態で上記基板の両端部分を裏側に折り返すことにより包装するようにした包装容器であって、前記カバーフィルムの両端辺を折り返すことにより掛止ポケットを形成し、該掛止ポケットに前記基板の両端辺をそれぞれ差し込み係合させるように構成したことを特徴とする包装容器。
【請求項２】
前記基板の左右及び／又は上下に、折り返し用の折り目を１本以上形成してなる請求項１記載の包装容器。
【発明の詳細な説明】
【０００１】
【発明の属する技術分野】
本発明は、ライターや筆記具等の比較的小型の商品を包装するのに適した包装容器に関し、更に詳しくは、被包装物を包装した状態で外容器の中に収容される中容器として使用するのに適した包装容器に関するものである。
【０００２】
【従来の技術】
従来から各種形態の包装容器が提案されているが、包装そのものが面倒であったり、包装をしただけでは被包装物が包装容器の内で動いてしまうので別に固定用の詰め物を必要としたり、更には基本的に製品の大きさに合わせて形成しなければならないので少量多品種を扱う場合には製作費用がかさみ包装容器としての製造コストが高くなる、等の不具合があった。
他方、使用済みの包装容器を処理することを考慮した場合、包装容器が複数種の材料から形成されているとそれらを材料別に分離するための処理コストがかさむため、包装容器はできるだけ同質の単一材料から形成されていることが望ましい。このことは、包装容器を組み立てる際に使用される接着剤やステープル等の金具についても同様である。
【０００３】
【発明が解決しようとする課題】
本発明はこの様な現状に鑑みてなされたものであり、被包装物を簡便にしかも格別詰めもの等を使用せずとも被包装物が中で動くことなく固定状に包装することができると共に、１種類で被包装物の大きさに応じた大きさに包装することが可能であり、且つ安価に製造することができ、しかも、接着剤やステープル等を使用せずとも組立でき、従って使用済みの包装容器を処理する場合でも材料別に容易に分離することが出来る包装容器を提供せんとするものである。
【０００４】
【課題を解決するための手段】
上記の課題を解決する本発明の包装容器は、基板の表面を伸縮自在なカバーフィルムで被覆すると共に該カバーフィルムの両端辺を当該基板に固定し、上記基板とカバーフィルムとの間に被包装物を収納した状態で上記基板の両端部分を裏側に折り返すことにより包装するようにした包装容器であって、前記カバーフィルムの両端辺を折り返すことにより掛止ポケットを形成し、該掛止ポケットに前記基板の両端辺をそれぞれ差し込み係合させるように構成したことを特徴とものである。
この際、前記基板の両端部分を裏側に折り返しやすくすると共に、１種類の大きさでもって各種被包装物の大きさに応じた大きさに包装し得るように、前記基板の左右及び／又は上下に、折り返し用の折り目を１本以上形成することが好ましい。
【０００５】
【発明の実施の形態】
以下、本発明の好適実施例を図面に基づいて詳細に説明するが、本発明は図示実施例のものに限定されるものではない。
図１は本発明に係る包装容器Ａを展開した状態を示し、図２は包装容器Ａで被包装物Ｂを包装した状態を示す。
【０００６】
包装容器Ａは、１枚の基板１と１枚のカバーフィルム２とで構成され、基板１の表面をカバーフィルム２で被覆すると共に、該カバーフィルム２の左右両端辺２ａ，２ａを基板１に固定して形成される。
【０００７】
基板１は、適当な厚みを有する段ボール紙や厚紙等の紙製板材または硬質或いは柔軟性を有する合成樹脂製板等の多少剛性を備えた平板の材料を用いて、所要の大きさをした所望の形状に形成される。すなわち、基板１は、手でもって容易に曲げられるものであればその材質に格別な制限はなく、またその大きさは主目的とする被包装物の大きさに応じて自由に採択され、そしてその形状も矩形形状に限らず例えば円形形状や三角形状その他の多角形状等、所望の形状に形成することが可能である。
ちなみに、図示実施例の基板１は、厚紙板材を用いて長方形形状に形成したものである。
【０００８】
そして、基板１の左右両側や上下両側には、折り返し用の折り目３ａ，３ｂ，３ｃ，…を１本以上形成せしめる。
この折り目３ａ，３ｂ，…は、基板１の両端部分（左右の両端部分１ａと上下の両端部分１ｂ）を、カバーフィルム２を設けた側とは反対側の裏側に折り返しやすくすると同時に被包装物Ｂの大きさに応じた大きさに包装し得るようにする為のものであり、基板１の左右両側や上下両側に１本以上を形成する。すなわち、基本的には基板１の左右両側に各１本ずつ合計２本の折り目３ａ，３ａを形成し、この折り目３ａ，３ａを境にして外側部分をそれぞれ折り返し用の両端部分１ａ，１ａとなし、更に必要に応じて、上記折り目３ａ，３ａと並行に複数本の折り目３ｂ，３ｂを形成したり、上下両側にそれぞれ１本ないし複数本の折り目３ｃ，３ｃを形成し、場合によっては、基板１の全面にわたって適宜間隔ごとに縦方向と横方向に折り目を格子状に形成しても良い。
【０００９】
一方、基板１の表面を被覆するカバーフィルム２は、伸縮性を備えた薄膜状の材料、具体的にはポリウレタン等の柔軟性及び伸縮性を備えたプラスチックからなるフィルムシートまたは不織布または織布或いは薄いゴム製シート等を用いてなり、基板１とほぼ同じ大きさに形成して、基板１の表面に平らに重ね合わせると共に、その左右の両端辺２ａ，２ａを基板１に固定する。この際、基板１に固定される箇所（両端辺２ａ，２ａ）が基板１の左右の折り目３ａ，３ｂよりも外側に位置するようにする。
尚、カバーフィルム２としては、伸縮性を備えていればその材質に格別な制限はなく、且つ必要に応じて適宜所望の色に着色したり模様を施すことは自由である。
【００１０】
本発明では、カバーフィルム２の両端辺２ａ，２ａを基板１に固定する手段として接着剤やステープル等の金具を使用しない。すなわち、カバーフィルム２の両端辺２ａ，２ａ部分をそれぞれ折り返すことにより、カバーフィルム２の両端に掛止ポケット４，４を形成し、その掛止ポケット４，４に基板１の両端辺１ａ，１ａをそれぞれ差し込み係合させるように構成するものである。この際、掛止ポケット４，４の左右の一部４ａ，４ａに、基板１に突設させた掛止片（図示せず）を挿入掛止させるための掛止用穴を形成しても良い。
【００１１】
而して、本包装容器を使用（包装）する場合には、予め基板１の両端辺１ａ，１ａをカバーフィルム２の掛止ポケット４，４に差し込み係合させておき、その状態で基板１とカバーフィルム２との間に被包装物Ｂを挟み込むようにして収納する。この際、基板１の両端部分１ａ，１ａを上方に起こしてカバーフィルム２の中央部分を弛ませると、被包装物Ｂを基板１とカバーフィルム２との間に収納しやすくなる。
その後、基板１の両端部分１ａ，１ａを折り目３ａ，３ａに沿ってカバーフィルム２とは反対側（裏面側）に折り返す（図２参照）。すると、カバーフィルム２が伸張して被包装物Ｂの上面に緊張した状態で密着し、被包装物Ｂが固定状に包装される。これで、被包装物Ｂは基板１とカバーフィルム２との間に挟持された状態に固定状に包装されるが、更に必要に応じて基板１の上下の両端部分１ｂ，１ｂも折り目３ｃ，３ｃに沿ってカバーフィルム２とは反対側（裏面側）に折り返すことにより、被包装物Ｂは完全にカバーフィルム２で被覆された状態に包装される。
然る後に、カバーフィルム２とは反対側（裏面側）に折り返した左右の両端部分１ａ，１ａや上下の両端部分１ｂ，１ｂが元に戻らないように、粘着テープや輪ゴム等で固定したり、或いは外容器Ｃの中に収容して保持する。
【００１２】
【発明の効果】
本発明に係る包装容器は斯様に、基板の表面を伸縮自在なカバーフィルムで被覆すると共に該カバーフィルムの両端辺を上記基板に固定し、上記基板とカバーフィルムとの間に被包装物を収納した状態で上記基板の両端部分を裏側に折り返すことにより包装するようにしたので、被包装物を簡便に包装することが出来ると共に、格別詰めもの等を使用せずとも被包装物が中で動くことなく固定状に包装することが出来、且つ安価に製造することが出来る。
【００１３】
しかも、カバーフィルムの両端辺を折り返すことにより掛止ポケットを形成し、その掛止ポケットに基板の両端辺をそれぞれ差し込み係合させるように構成したので、接着剤やステープル等を使用せずとも組立でき、従って使用済みの包装容器を処理する場合でも容易に材料別に分離することが出来る。
【００１４】
また、請求項２記載の包装容器によれば、基板の左右及び／又は上下に、折り返し用の折り目を１本以上形成してなるので、基板の両端部分を裏側に簡便に折り返すことが出来るようになると共に、被包装物の大きさに応じて適当な折り目から裏側に折り返すことにより、１種類の包装容器でもって被包装物の大きさに応じた大きさに包装することが可能となる。
【図面の簡単な説明】
【図１】本発明に係る包装容器を展開した状態を示す斜視図。
【図２】本発明に係る包装容器で被包装物を包装した状態を示す断面図。
【符号の説明】
Ａ：包装容器
Ｂ：被包装物
Ｃ：外容器
１：基板
１ａ，１ａ：左右両端部分
１ｂ，１ｂ：上下両端部分
２：カバーフィルム
２ａ，２ａ：両端辺
３ａ，３ｂ，３ｃ：折り目
４：掛止ポケット
【図１】
2004010168.tif 000003
【図２】
2004010168.tif 000004